(57)【要約】積み重ね可能な構造パネルシステムにおける改良が開示されている。このシステムは、流動性の材料を受けるための積み重ね可能な壁枠が備えられていて、各枠は、コネクタによって離間し平行な関係に一体に結合された１対のフォームパネルを有している。第１の改良において、コネクタは、建築現場における壁枠の積み重ねと取り扱いを容易にする横断するターミナル面を有するヘッド部品を備えている。第２の改良において、端部パネルアセンブリは、窓またはドアフレームの構造用の壁スタッドとして使用される端部パネルを据え付けるために提供される。端部パネルアセンブリは、対のフォームパネルの側部端部部分と各着脱可能に係合可能な第１と第２の係合部材を有している。端部パネルはそれ自身、互いの間に据え付け可能である。第３の改良によると、コーナーコネクタが、コーナー壁枠を補強するために備えられている。
2004521210.tif 000002
【特許請求の範囲】
【請求項１】
流動可能な材料を受ける枠を形成するために、対向するフォームパネルを長手方向に沿って離間した平行な関係に一体に結合するためのコネクタであって；
対応する一方のフォームパネルの内側に長手方向に埋め込まれるように各計画された１対の細長いアンカー部材を備えていて、前記アンカー部材のそれぞれは、２つの対向する末端部と、前記末端部のそれぞれから長手方向に沿って突出したヘッド部品とを有し、このヘッド部品は、横方向に延びたターミナル面を各有していて；
対のアンカー部材を長手方向に一体に接続するための接続部材を備えているコネクタ。
【請求項２】
各アンカー部材のヘッド部品は、互いに鏡面対称である請求項１記載のコネクタ。
【請求項３】
各ヘッド部品は、前記ターミナル面を画定する横断するアームと、横断するアームを前記ヘッド部品が突出するアンカー部材の末端部に接続する長手方向アームとを有するＬ字形状部を有している請求項１記載のコネクタ。
【請求項４】
流動可能な材料を受けるための壁枠であって：
対向する頂部壁面と底部壁面とを各有する１対のフォームパネルを備え；
長手方向に沿って離間して平行な関係にフォームパネルを一体に結合するためのコネクタを備え、前記コネクタは、対応する一方のフォームパネルの内側に長手方向に埋め込まれるように各計画された１対の細長いアンカー部材を備えていて、前記アンカー部材のそれぞれは、２つの対向する末端部と、前記末端部のそれぞれから長手方向に沿って突出したヘッド部品とを有し、このヘッド部品は、横方向に、また、対応するフォームパネルの頂部壁面と底部壁面の対応する一方の一部分に沿って延びたターミナル面を各有していて、コネクタは、対のアンカー部材を長手方向に一体に接続するための接続部材をさらに備えている壁枠。
【請求項５】
各ヘッド部品は、そのターミナル面が頂部壁面と底部壁面とのいずれか一方に沿って延びるのに適しているように形成されている請求項４記載の壁枠。
【請求項６】
各アンカー部材のヘッド部品は、互いに鏡面対称である請求項４記載の壁枠。
【請求項７】
各フォームパネルの各頂部壁面と底部壁面は、突起部と凹部が交互に備えられていて、ヘッド部品は前記突起部の一方内に各埋め込まれている請求項４記載の壁枠。
【請求項８】
各フォームパネル用に、頂部壁面の各突起部は底部壁面の凹部に対向していて、頂部壁の各凹部は底部壁の突起部に対向している請求項７記載の壁枠。
【請求項９】
各ヘッド部品は、前記ターミナル面を画定する横断するアームと、横断するアームを前記ヘッド部品が突出するアンカー部材の末端部に接続する長手方向アームとを有するＬ字形状部を有している請求項４記載の壁枠。
【請求項１０】
請求項４記載の複数の壁枠を備えていて、前記壁枠は垂直方向に積み上げられている壁枠アセンブリ。
【請求項１１】
隣接する上方の壁枠と下方の壁枠用に、上方の壁枠のフォームパネルの底部壁面に沿って延びたターミナル面が、下方の壁枠のフォームパネルの頂部壁面に沿って延びたターミナル面に当接している請求項１０記載の壁枠アセンブリ。
【請求項１２】
流動化の可能な材料を受けるために端部パネルを壁枠に据え付けるための据え付け装置であって、壁枠は長手方向に沿って離間しかつ平行な関係に対向した１対のフォームパネルを備えていて、この１対のフォームパネルは整列された端部部分を有していて：
対のフォームパネルの各側部端部部分を着脱可能に係合するための第１と第２の係合部材と；
対のフォームパネルの端部部分と係合された場合に、第１と第２の係合部材の間に端部パネルを長手方向に据え付けるための据え付け手段と；
を備えた据え付け装置。
【請求項１３】
第１と第２の係合部材は、対応するフォームパネルの側部端部部分を包むためのスリーブを各画定する請求項１２記載の据え付け装置。
【請求項１４】
第１と第２の係合部材は、弾性的な材料で各作られている請求項１２記載の据え付け装置。
【請求項１５】
前記弾性的な材料は、プラスチックである請求項１４記載の据え付け装置。
【請求項１６】
据え付け手段は、第１と第２の係合部材から各突出した第１と第２のパネル支持部分を備えている請求項１２記載の据え付け装置。
【請求項１７】
端部パネルを第１と第２のパネル支持部分に固定するための固定手段をさらに備えた請求項１６記載の据え付け装置。
【請求項１８】
第１と第２の各パネル支持部分は、端部パネルを摺動可能に受けるためのトラックを画定する請求項１５記載の据え付け装置。
【請求項１９】
流動可能な材料を受けるための壁枠用の端部パネルアセンブリであって、壁枠は、長手方向に沿って離間していてかつ平行な関係の１対の対向するフォームパネルを備えていて、対のフォームパネルは、整列された端部部分を有していて：
請求項１２による据え付け装置と；
前記据え付け装置の係合部材間に据え付け可能な端部パネルと；
を備えている端部パネルアセンブリ。
【請求項２０】
前記端部パネルは木で作られている請求項１９記載の端部パネルアセンブリ。
【請求項２１】
流動可能な材料を受けるための壁枠であって：
長手方向に沿って離間していてかつ平行な関係の１対の対向するフォームパネルを備え、対のフォームパネルは、整列された側部端部部分を有していて；
端部パネルを備え；
対のフォームパネルの各側部端部部分を着脱可能に係合する第１と第２の係合部材を備えた据え付け装置と、端部パネルを第１と第２の係合部材の間に長手方向に据え付けるための据え付け手段とを備えた壁枠。
【請求項２２】
前記各フォームパネルは、その中に内面に沿って延びた細長い隆起部が備えられていて、前記内面は対向するフォームパネルに面している請求項２１記載の壁枠。
【請求項２３】
各係合部材は、対応するフォームパネルの前記隆起部と係合可能なチャンネルを備えている請求項２２記載の壁枠。
【請求項２４】
流動可能な材料を受けるための壁枠であって、前記壁枠は、長手方向に隣接するフォームパネル部によって形成されたコーナーを有していて、前記壁枠は、前記コーナーを補強するための補強コネクタを備えていて：
前記フォームパネル部の対応する長手方向の内側に各埋め込まれた１対の細長いアンカー部材と；
対のアンカー部材を一体に長手方向に接続するために前記コーナーと前記壁枠との内側に延びた接続部材と；
を備えた改良された壁枠。
【請求項２５】
前記接続部材は、対のアンカー部材に着脱可能に接続されている請求項２４に記載された改良された壁枠。
【請求項２６】
各アンカー部材は：
対応するフォームパネル部の内側に長手方向に深く延びた細長いフランジ板を備え；
細長いフランジ板に長手方向に接続され、フォームパネルから出ている突出端部を有するた細長いリンク部材を備え、前記突出端部は接続部材に接続されている請求項２４に記載された改良された壁枠。
【請求項２７】
各アンカー部材の突出端部は、開口スロットの複数のチューブ状ナックルを備えていて、各チューブ状ナックルは、他方のナックルのスロットと正しく合うスロットを画定する１対の長手方向に対向した端部を有する内側のチューブを形成し；
接続部材は、前記開口チューブ状ナックルに摺動可能に挿入可能な寸法に拡大された端部部分と、拡大された端部部分を接続部材の中央部に接続するストリップ部とを各画定する１対の長手方向の側部端部を有する請求項２６に記載された改良された壁枠。
【発明の詳細な説明】
【技術分野】
【０００１】
本発明は、全体的に、コンクリートのような流動性の材料を受けるために対向した対のパネルを有するタイプの積み重ね可能な(stackable)壁枠(wall form)に関する。特に、本発明はそのような壁枠における改良に関する。
【背景技術】
【０００２】
コンクリート壁を鋳込む隔離枠を作るために多くの異なったシステムと方法とが現在存在する。多くの場合、これらのシステムは、ポリスチレンのような硬質フォーム(rigid foam)で全体的に作られた対の対向するフォームパネル(foam panel)を備えていて、それらの間にコンクリートを受けるキャビティを画定する。これらの対のフォームパネルは、壁枠アセンブリを形成するように他方の上に一方が載置される。コンクリートが一旦固化されると、組み立てられた壁枠は壁を隔離するために適切な位置に留まる。コンクリートの注入前に、対向したフォームパネルは、典型的には、各フォームパネルに埋め込まれた1対の平行で横方向のアタッチメントフランジを各有するコネクタによって、離間して平行な関係に維持される。
【０００３】
そのようなパネルの積み重ねは、建築現場(construction site)において達成される。一方において、時間の損失なしで容易で非常に迅速な積み重ねが可能で、他方において、コンクリートの注入に先立って偶然の分解がない安定してしっかりとした積み重ねが可能な壁枠を提供するのがこの分野において望ましい。容易に理解できるように、コンクリートが注入されると直ぐに、積み重ねが折りたたまれるかまたは分解される機会が非常に減少する。
【０００４】
例示として、上記で論議したタイプの壁枠および構造フォームパネル(foam panel)は、いずれも本件出願人の名前の特許文献１および２に示されている。離隔構造パネルの他の例は、特許文献３、４、５、６、７、８、および９に示されている。
【０００５】
【特許文献１】カナダ特許出願第２、２９２、８６５号明細書
【０００６】
【特許文献２】カナダ特許出願第２、３１２、１５８号明細書
【０００７】
【特許文献３】米国特許第３、８９５、４６９号明細書
【０００８】
【特許文献４】米国特許第４、２２９、９２０号明細書
【０００９】
【特許文献５】米国特許第４、７０４、４２９号明細書
【００１０】
【特許文献６】米国特許第４、８８４、３８２号明細書
【００１１】
【特許文献７】米国特許第４、８８５、８８８号明細書
【００１２】
【特許文献８】米国特許第４、８９４、９６９号明細書
【００１３】
【特許文献９】米国特許第５、４２８、９３３号明細書
【発明の開示】
【発明が解決しようとする課題】
【００１４】
本発明の目的は、安定して強固な(solid)積み重ね(stack)が容易な構築を可能にする改良された積み重ね可能なフォームパネルを提供することである。
【課題を解決するための手段】
【００１５】
本発明の第１の態様によれば、流動可能な材料を受ける枠を形成するために、対向するフォームパネルを長手方向に沿って離間した平行な関係に一体に結合するためのコネクタが提供される。コネクタは、対応する一方のフォームパネルの内側に長手方向に埋め込まれるように各計画された１対の細長いアンカー部材を備えている。アンカー部材のそれぞれは、２つの対向する末端部を有している。ヘッド部品は、末端部のそれぞれから長手方向に沿って突出している。ヘッド部品は、横方向に延びたターミナル面を各有している。
コネクタはまた、対のアンカー部材を長手方向に一体に接続するための接続部材を備えている。
【００１６】
本発明のこの態様はさらに、流動可能な材料を受ける壁枠に関する。壁枠は：
−対向する頂部壁面と底部壁面とを各有する１対のフォームパネルを備え；また
−長手方向に沿って離間して平行な関係にフォームパネルを一体に結合するためのコネクタを備えている。上記で説明したように、このコネクタは、対応する一方のフォームパネルの内側に長手方向に埋め込まれるように各計画された１対の細長いアンカー部材を備えている。これらのアンカー部材は、２つの対向する末端部と、末端部のそれぞれから長手方向に沿って突出したヘッド部品とを有している。ヘッド部品は、横方向に、また、対応するフォームパネルの頂部壁面と底部壁面の対応する一方の一部分に沿って延びたターミナル面(terminal surface)を各有している。コネクタは、対のアンカー部材を長手方向に一体に接続するための接続部材をさらに備えている。
【００１７】
本発明の第２の態様によれば、流動化の可能な材料を受けるために端部パネルを壁枠に据え付けるための据え付け装置が提供される。壁枠は長手方向に沿って離間しかつ平行な関係に対向した１対のフォームパネルを備えていて、この１対のフォームパネルは整列された端部部分を有している。据え付け装置は：
−対のフォームパネルの各側部端部部分を着脱可能に係合するための第１と第２の係合部材と；および
−対のフォームパネルの端部部分と係合された場合に、第１と第２の係合部材の間に端部パネルを長手方向に据え付けるための据え付け手段とを備えている。
【００１８】
第２の態様の一部分として、本発明によって、流動可能な材料を受けるための壁枠用の端部パネルアセンブリが提供される。壁枠は、長手方向に沿って離間していてかつ平行な関係の１対の対向するフォームパネルを備えていて、対のフォームパネルは、整列された端部部分を有している。端部パネルアセンブリは、上記で述べられたような据え付け装置と、据え付け装置の係合部材間に据え付け可能な端部パネルとを備えている。
【００１９】
流動可能な材料を受けるための壁枠もまた提供され、この壁枠は、長手方向に沿って離間していてかつ平行な関係の１対の対向するフォームパネルを備え、対のフォームパネルは、整列された側部端部部分を有している。壁枠はさらに、端部パネルと据え付け装置とを備えている。据え付け装置は、対のフォームパネルの各側部端部部分を着脱可能に係合する第１と第２の係合部材を備えている。据え付け手段はさらに、端部パネルを第１と第２の係合部材の間に長手方向に据え付けるために備えられている。
【００２０】
最後に、本発明の第３の態様によれば、流動可能な材料を受けるための壁枠の改良が提供され、この壁枠は、長手方向に隣接するフォームパネル部によって形成されたコーナーを有している。この改良は、コーナーを補強するための補強コネクタを備えている。コネクタは、フォームパネル部の対応する長手方向の内側に各埋め込まれた１対の細長いアンカー部材を有している。接続部材は、対のアンカー部材を一体に長手方向に接続するためにコーナーと壁枠との内側に延びている。
【００２１】
本発明の他の態様および目的は、添付図面を参照し、本発明がどのように実用に供されるかの例示のみで提供された好ましい実施例に従う記述からより明らかになる。
【発明を実施するための最良の形態】
【００２２】
本発明の好ましい実施例の記述
本発明は、コンクリートのような流動性の材料を受けるために並行なフォームパネル(foam panel)で作られた壁枠を使用する積み重ね可能な構造システムに関する。以下は、そのような壁枠の好ましい実施例の記述である。しかしながら、以下の記述は例示のために示されたものであって、本発明は異なった特徴を有する壁枠にも適用できることが理解され得る。
【００２３】
壁枠の好ましい実施例の記述
図1を参照すると、壁枠アセンブリ（１０）が示されていて、これは、コンクリートまたは類似するもののような流動性の材料を受けるための枠(form)を作るのに適している。このアセンブリ（１０）は、複数の壁枠（１１）の積み重ねられ離隔された水平な列を備えていて、それぞれが同一平面で実質的に矩形に形成されたプラスチックパネル（１４Ａ、１４Ｂ）で作られている。隣り合う壁枠（１１）のパネル（１４Ａ、１４Ｂ）は、それらの水平側および垂直側に沿って互いに当接する。
【００２４】
各壁枠（１０）は、特に、離間しかつ平行な関係に設けられ複数のコネクタ（１６）によって一体に結合された第１のフォームパネル（１４Ａ）と第２のフォームパネル（１４Ｂ）とを備えている。フォームパネル（１４Ａ、１４Ｂ）は、図１に示されたようなフォームパネル（１４Ａ、１４Ｂ）が壁枠を形成するように離間され拡張された位置と、図示されていないが、主として積出し(shipping)の目的でフォームパネル（１４Ａ、１４Ｂ）が互いに接近され折りたたまれた(collapse)位置との間で移動可能である。
【００２５】
使用において、流動性の材料を受ける壁枠アセンブリが、複数の壁枠の積み重ねられた水平列を使用して一旦据え付けられると、パネル（１４Ａ、１４Ｂ）間に存在する空のキャビティは、コンクリートまたはセメントをベースとするグラウト(grout)で充填される。充填材料が硬化した後、集成(composite)壁が、コンクリートの内壁にコネクタによってしっかりと取着された分離パネルを有して得られる。
【００２６】
フォームパネル（１４Ａ、１４Ｂ）は、底部壁面(１７)と対向する頂部壁面（１５）を各有していて、それぞれが好ましくは、同様の補完的形状を有する突起部（１８）および凹部（１９）のいずれかの正中列(median row)（１３）を備えている。この正中列（１３）は、パネル（１４Ａ、１４Ｂ）の端部の境界を作る２つの同一平面端部面（５０）間に設けられている。これらの同一平面端部面（５０）は、好ましくは、相互結合されたパネル（１４Ａ、１４Ｂ）間の安定性を増加することを提示するように、十分大きい幅を有している。
【００２７】
一方のパネル（１４Ａ）の頂部壁面（１５）の突起部（１８）または凹部（１９）は、同一パネル（１４Ａ）の底部壁面（１７）の凹部（１９）または突起部（１８）と各対向していて、また、対のパネル（１４Ａ、１４Ｂ）が図１に示される拡張された位置にある場合、他のパネル（１４Ｂ）の頂部側（１５）の各凹部（１９）または突起部（１８）に面している。このようにして、パネル（１４Ａ、１４Ｂ）の対は、頂部壁面または底部壁面として作用する対向した各壁面（１５、１７）を有するパネルの類似の対と有利に相互接続されることが理解できる。
【００２８】
主として製造プロセスの故に、好ましい実施例において、突起部（１８）と凹部（１９）とはほぼ矩形である。しかしながら、円形、長方形、正方形などのような他の形状の突起部と凹部を使用することもできる。さらに、突起部（１８）の劣化を阻止するために、本発明は、角が丸められた突起部（１８）の使用を好む。それにもかかわらず、矩形の角または他も形状を有する突起部（１８）が依然として効果的である。好ましくは、各突起部（１８）と凹部（１９）とは、突起部（１８）の凹部（１９）内への挿入を促進する２つの対向した実質的に凸状の横断面（５２、５３）を有している。
【００２９】
図２、３および４を参照すると、本発明の好ましい実施例に従ったコネクタ（１６）の部品がより詳細に示されている。コネクタ（１６）は、第１と第２のフォームパネル（１４Ａ、１４Ｂ）に各埋め込まれた一対のアンカー部材（２０Ａ、２０Ｂ）を備えている。各アンカー部材（２０Ａ、２０Ｂ）は、長手方向にまた対応するフォームパネル（１４Ａまたは１４Ｂ）の内側に深く延びた細長いフランジプレート（２２）と、フランジプレート（２２）の長手方向に接続された細長いリンク要素（２４）とを有している。リンク要素は、フォームパネル（１４Ａ、１４Ｂ）から出てくる突出端部（２６）を有している。好ましくは、各アンカー部材（２０Ａ、２０Ｂ）の突出端部（２６）は、フランジプレート（２２）に平行で、図４に示されたようにその中に埋め込まれた場合、対応するフォームパネル（１４Ａまたは１４Ｂ）の内面（３０）と同じ高さに延びる安定化プレート（２８）を備えている。
【００３０】
各アンカー部材（２０Ａ、２０Ｂ）の安定化プレート（２８）は好ましくは、上方の端部（５４）と下方の端部（５６）とを有していて、これらは、アンカー部材（２０Ａまたは２０Ｂ）を、隣接する壁枠（１１）の対になるアンカー部材（２０Ａまたは２０Ｂ）に連結する固定具（５８）を備えている。より好ましくは、固定具（５８）は、安定化プレート（２８）の対応する端部から極端に突出して安定化プレート（２８）にモールドされた、四つ爪タイプ(grapnel-type)の固定具である。所定の安定化プレート（２８）の上方の端部（５４）の固定具（５８）は、好ましくは、安定化プレート（２８）の下方の端部（５６）の固定具（５８）と鏡面対称であって、これは図２と４に最良のものが示されていて、対になるアンカー部材（２０Ａ、２０Ｂ）の尖った歯と連結するのに適する尖った歯を供えた側部を有している。有利には、この実施例は、頂部端部または底部端部の両端部で使用されるコネクタ（１６）が建築現場での壁枠の取り扱いを大きく促進にするのを可能にする。
【００３１】
フォームパネルアセンブリを軽くするために、リンク要素（２４）は好ましくは、それに沿って複数の孔（２５）を備えている。しかしながら、リンク要素（２４）は、平板の中実でもよい。アンカー部材（２０Ａ、２０Ｂ）がフォームパネル（１４Ａ、１４Ｂ）に埋め込まれていることから言えば、この分野の当業者は、製造プラントにおけるフォームパネル（１４Ａ、１４Ｂ）の製造において、パネル（１４Ａ、１４Ｂ）を形成するプラスチックフォーム(foam)は、好ましくは、アンカー部材（２０Ａ、２０Ｂ）を取り囲むように注入され、それによって、パネル（１４Ａ、１４Ｂ）と、フォームパネル（１４Ａ、１４Ｂ）のアンカー形成部品として作用するアンカー部材（２０Ａ、２０Ｂ）との間の結合を強固にすることを理解するであろうことが特筆される。より特に、好ましくは、ポリスチレンまたはプラスチックフォームの分野における当業者に知られた他のいずれもの材料であるプラスチックフォーム材料は、アンカー部材（２０Ａ、２０Ｂ）を取り囲むために注入される。
【００３２】
コネクタ（１６）はさらに、フォームパネル（１４Ａ、１４Ｂ）の間に延びたウェブ形状の接続部材（３２）を備えている。比較的可撓性のプラスチック材料で形成されたこの接続部材（３２）は、コンクリートを補強するために使用される金属ロッドを受けて保持するために形成された中央部（４４）を有している。接続部材（３２）はさらに、第１のアンカー部材（２０Ａ）の突出端部（２６）にヒンジ状に接続された第１の細長い側端部（３４Ａ）と、第１の細長い側端部（３４Ａ）に対向する第２の細長い側端部（３４Ｂ）とを有している。第２の細長い側端部（３４Ｂ）は、第２のアンカー部材（２０Ｂ）の突出端部（２６）にヒンジ状に接続されている。フォームパネル（１４Ａ、１４Ｂ）は、したがって、フォームパネル（１４Ａ、１４Ｂ）が壁枠（１１）を作るように離間した図１に示された拡大位置と、フォームパネル（１４Ａ、１４Ｂ）が主として積出しの目的で互いに接近された、図示しないが折りたたまれた位置との間で移動可能である。
【００３３】
接続部材（３２）は好ましくは、壁枠（１１）の両面(reversible)の位置で、コンクリートを補強するために使用された金属ロッドを受けて保持するように対称的な形状である。それ故、壁枠（１１）は、上下逆に出来、それでも依然として金属ロッドを接続部材（３２）の頂部溝に受けて保持するために使用できる。
【００３４】
複数の接続要素（６４）は、好ましくは、接続部材（３２）をアンカー部材（２０Ａ、２０Ｂ）にヒンジ状に接続するために、各アンカー部材（２０Ａ、２０Ｂ）の突出端部（２６）の安定化プレート（２８）に設けられている。これらの各接続要素（６４）は、安定化プレート（２８）から突出した２つの整列された隆起部（６６）を形成するために成形されていて、それらの間の空間は、細長いスリーブ（６８）を画定する。結合ピン（７０）がスリーブ（６８）に設けられてもよい。ピンを受ける孔（７１）は、好ましくはそのために隆起部（６６）に設けられていて、各孔（７１）はスリーブ（６８）の内側に面している。接続部材（３２）は好ましくは、プラスチックモールドで作られていて、結合ピン（７０）はそれゆえ隆起部（６６）に恒久的に設けられる。
【００３５】
接続要素（６４）と協同するために、接続部材（３２）の各細長い側部端部は、対応する数のアーム（７２）を画定する。例えば、３つのアーム（７２）が、対称的接続部材（３２）に使用できる。各アーム（７２）は、結合ピン（７０）によって画定された軸線の周りに回転可能になるように、対応する結合ピン（７０）に接続された末端部（７４）を有している。この目的は、アーム（７２）の末端部（７４）を結合ピン（７０）の周りに回転可能に設けるか、または、結合ピン（７０）がそれ自身ピン収容孔（７１）内で回転可能に設けるかによって達成されることが容易に分かる。好ましくは、各アーム（７２）の末端部（７４）は、ピン（７０）の１つを受けるための穴（７６）を有している。
【００３６】
この分野の業者にとって容易に理解できるように、接続要素（６４）は、アンカー部材（２０Ａ、２０Ｂ）の製造中にモールディングによって直接形成できる。図２と３に示された実施例において、突出部（７８）は隆起部（６６）の両側にモールディングによって生成される。
【００３７】
接続要素（６４）は、整列された隆起部（６６）を形成するために成形されているけれども、本発明はこの分野の当業者に明らかなように、開放スロット状ナックルのような他のタイプの接続要素を採用することを想起することが理解できる。この代替実施例において、接続部材（３２）は、有利には対応するアンカー部材（２０Ａ、または２０Ｂ）から除去される。そのような実施例は、例えば図６に示されていて、コーナーコネクタと関連して以下において説明される。接続部材（３２）をアンカー部材（２０Ａ、２０Ｂ）にヒンジ状に接続するために、コネクタ（１６）は、安定化プレート（２８）に配置された複数の整列された開放型スロット状のチューブ型ナックル(tube-like knuckle)（３６０）を備えていて、各チューブ型ナックル（３６０）は、他のナックル（３６０）のスロットと正しく合わされたスロット（３６５）を規定する対向する細長い１対の端部を有する内側チューブを形成する。接続部材（３２）は、開放型スロット状のチューブ型ナックルに摺動可能に挿入できる寸法の拡大端部（３７０）を各規定する１対の細長い側部端部と、拡大端部（３７０）を接続部材（３２）の中央部に接続するストリップ部（３７５）とを有している。
【００３８】
コネクタの改良
依然として図２、３および４を参照し、また本発明の第１の実施例に従うと、各アンカー部材（２０Ａ、２０Ｂ）は、２つの対向する末端部（９０、９２）を有していて、そこからヘッド部品（３５）が長手方向に沿って延びている。好ましくは、ヘッド部品（３５）は、対応するアンカー部材（２０Ａまたは２０Ｂ）のフランジプレート（２２）の上方端部および下方端部（９０、９２）に接続されている。ヘッド部品（３５）は、横方向に延びたターミナル面(terminal surface)（３６）を有している。好ましくは、各ヘッド部品（３５）は、ターミナル面（３６）を画定する横断アームを形成するＬ字形状部と、ヘッド部品（３５）がそこから突出しているアンカー部材（２０Ａ、２０Ｂ）の末端部に横断アーム（３６）を接続する細長いアーム（３８）とを有している。
【００３９】
コネクタ（１６）が、壁枠（１１）を形成するためにフォームパネル（１４Ａ、１４Ｂ）内に埋め込まれた場合、各ヘッド部品（３５）は、好ましくは、図４に示されたように、整列されパネルの突起部（１８）に埋め込まれ、最良のものが図２に示されているように、フォームパネル（２２）の上方および下方の端部（９０、９２）の半分を覆う。フォームパネル（２２）の末端部の他方の半分は、凹部（１９）に対応する。好ましくは、ヘッド部品（３５）の面（３６）は、突起部（１８）の頂部壁面および底部壁面（１５、１７）に対応して同一高さ(flush with)に延びている。
【００４０】
好ましくは、所定の部材の上端部（９０）のヘッド部品（３５）は、フランジプレート（２２）の下端部（９２）のヘッド部品（３５）と、また、他方のアンカー部材のフランジプレート（２２）の上端部（９０）に設けられたヘッド部品（３５）と鏡面対称である。したがって、コネクタ（１６）は、あらゆる方向にひっくり返り(flipped over)、またはぐるりと回転でき、また、突起部（１８）と凹部（１９）との間に適切に配置された場合適切に使用できる。
【００４１】
ヘッド部品（３５）は、２つの主目的に役立つ。第１にヘッド部品（３５）は、コンクリートが枠壁アセンブリ（１０）内に注入された場合、枠壁アセンブリ（１０）全体の重量を支持するのを助ける。事実、実験では、ヘッド部品（３５）がないと、コンクリートが注入された後で、最大２インチまで枠壁アセンブリ（１０）が高さにおいてたわむ傾向を有している事を示している。
【００４２】
第２に、ヘッド部品（３５）は、壁枠（１１）の一方を他方の頂部に積み重ねるのを促進する。事実、ヘッド部品（３５）なしで、第１の壁枠（１１）を第２の壁枠（１１）の頂部上にそれらの適切な接続をするために押すことは作業者にとって困難である。ヘッド部品（３５）の設備を有して、作業者は、壁枠（１１）をより容易に組み立てるためにヘッド部品（３５）のターミナル面（３６）上を打撃するか押す。
【００４３】
端部パネルアセンブリ
図５を参照すると、本発明の第２の態様が示されている。端部パネルアセンブリ（１０１）は、壁枠アセンブリ（１０）の側部末端部に端部パネル（１０２）を設けるために設けられている。端部パネルは、例えば、壁枠アセンブル（１０）の側部末端部をブロックし、また注入された場合コンクリートを壁枠によって画定された構造に包含するために完全に使用される。有利には、端部パネル（１０２）はまた、例えば窓、ドアフレームなどの構造物用に壁スタッドとして使用される。
【００４４】
端部パネルアセンブリ（１０１）は、端部パネル（１０２）と、端部パネル（１０２）を最も側部の壁枠（１１）に設けるための据え付け装置(mounting device)（１０３）を備えている。端部パネル（１０２）は好ましくは木で作られていて、例えば、一方を他方の頂部に積み重ねた木のセットであり、壁枠アセンブリ（１０）の全体の高さを通って延びている。壁枠（１１）のフォームパネル（１４Ａ、１４Ｂ）は、据え付け装置（１０３）が固定された整列された側部端部（１０８Ａ、１０８）を有している。この据え付け装置は、パネル（１４Ａ、１４Ｂ）の各側部端部（１０８Ａ、１０８Ｂ）と着脱可能に係合可能な第１と第２の係合部材（１００Ａ、１００Ｂ）を備えている。好ましくは、第１と第２の係合部材（１００Ａ、１００Ｂ）は、対応するフォームパネル（１４Ａ、１４Ｂ）の側部端部（１０８、１０８Ｂ）を包むためのスリーブを各画定し、プラスチックのような弾性材料で作られている。好ましくは、係合部材（１００Ａ、１００Ｂ）は、フォームパネル（１４Ａ、１４Ｂ）のの側部端部（１０８、１０８Ｂ）の形状に適合するように成形されている。開示された実施例において、各フォームパネル（１４Ａまたは１４Ｂ）は、その内面に（１１２）に沿って延びた細長い隆起部（１１０）を有している。すなわち。対向する各フォームパネル（１４Ａまたは１４Ｂ）に面する面、および各係合部材は、各隆起部（１１０）と係合可能な対応するチャンネル（１４）を備えている。
【００４５】
据え付け装置（１０３）はまた、第１と第２の係合部材（１００Ａ、１００Ｂ）が対のフォームパネルの側部端部（１０８Ａ、１０８Ｂ）と係合された場合に、それらの間に端部パネル（１０２）を長手方向に設置するための据え付け手段を備えている。例えば、据え付け手段は、それぞれが第１と第２の係合部材からフォームパネル（１４Ａ、１４Ｂ）の内方へ突出する第１と第２の支持部（１０４Ａ、１０４Ｂ）によって具現化される。図５に示されたように、２つの支持部（１０４Ａ、１０４Ｂ）は、端部パネル（１０２）を摺動可能に受けるためのトラック(track)を画定する。ネジ（１０６）または他の適切なタイプの固定具は、好ましくは端部パネル（１０２）を支持部（１０４Ａ、１０４Ｂ）に固定する。しかしながら、本発明の据え付け手段は、上述した実施例に限定されない。例えば、トラックを画定するのに替えて、第１と第２の突出部は、端部パネルが固定的に固定具される壁を単に画定してもよい。他の実施例において、２つの支持部に替えて、２つの係合部材を一体に接合する単一の接続部財が、壁またはトラックのいずれかを画定するように備えられ得る。
【００４６】
補強されたコーナー
図５から７を参照すると、コーナー(corner)として使用された壁枠を備えた本発明の第３の態様が示されている。コーナーは、２つの長手方向に隣接するフォームパネル部（１４Ａ、１４Ａ’）によって画定されている。図５と６の実施例において、フォームパネル部（１４Ａ、１４Ａ’）は直角を形成し、図７の実施例において、それらは４５度の角度を形成する。勿論、２つのフォームパネル部（１４Ａ、１４Ａ’）の間の他の適切な角度開口が、本発明の目的内で考慮できる。
【００４７】
コーナー壁を強固にし補強するために、コネクタ（１６）は図示されたようにコーナーの内側に配置されている。コネクタ（１６）は、フォームパネル部（１４Ａ、１４’）の一方内に長手方向に各埋め込まれた１対のアンカー部材（２０Ａ、２０Ｂ）を備えている。接続部材（３２）は、２つのアンカー部材（２０Ａ、２０Ｂ）を長手方向に一体に接続する。アンカー部材（２０Ａと２０Ｂ）および接続部材（３２）は、上述したコネクタ（１６）と同様の構造でもよいし、あるいはそれに替えて、異なった構造のコネクタも使用できる。
【００４８】
好ましい実施例において、上述したように、接続部材（３２）は好ましくは、開口スロットのチューブ状ナックル（３６０）を使用して、各側部を対応するアンカー部材（２０Ａまたは２０Ｂ）にヒンジ状に接続されている。この実施例は、壁枠をその折りたたまれた位置におくために接続部材（３２）が容易に除去され、また、建築現場で後部を接続されるという利点がある。ヒンジまたはそれ以外のような他のタイプの接続部が同様に使用される。接続部材（３２）は、アンカー部材（２０Ａ、２０Ｂ）から除去可能であるかまたはそれに強固に固定される。
【００４９】
この点において、有利には、図５と７に示されたように、コーナー壁枠は、取り外し可能な接続部材をコーナーの一側にのみ有するコネクタを備えていて、コネクタの他側には、例えば図２と３に示されたようにヒンジ結合された接続部材を有していることが特筆されなければならない。この特別の実施例は、コーナー壁枠が積出し用に折りたたまれた位置に置かれることが依然として可能であるけれども、製造するのにより効果的である開口スロットのチューブ状のナックルの数を限定する。
【００５０】
本発明の好ましい実施例が、ここで詳細に述べられ添付した図面に示されてきたけれども、本発明はこれらの明確な実施例に限定されるものではなく、請求の範囲に画定されたような本発明の目的と範疇から逸脱することなく、種々の改修および変更がそれらに実行されることが理解される。
【図面の簡単な説明】
【００５１】
【図１】本発明の好ましい実施例による枠壁アセンブリの部分斜視図。
【図２】本発明の好ましい実施例によるコネクタの斜視図であって、右側アンカー部材とウェブ部材の部分を取り除いて示す図。
【図３】図２のコネクタの一部分の部分的透視側面図。
【図４】図１の枠壁アセンブリの側部断面立面図。
【図５】本発明の好ましい実施例による枠壁アセンブリの９０度コーナーの平面図。
【図５Ａ】図５の壁枠の側部端部部分の拡大図。
【図６】図５に示された枠壁アセンブリのコーナーの一部分の拡大平面図。
【図７】本発明の好ましい実施例による枠壁アセンブリの４５度コーナーの平面図。
【図１】
2004521210.tif 000003
【図２】
2004521210.tif 000004
【図３】
2004521210.tif 000005
【図４】
2004521210.tif 000006
【図５】
2004521210.tif 000007
【図５Ａ】
2004521210.tif 000008
【図６】
2004521210.tif 000009
【図７】
2004521210.tif 000010
【国際公開パンフレット】
2004521210.tif 000011
2004521210.tif 000012
2004521210.tif 000013
2004521210.tif 000014
2004521210.tif 000015
2004521210.tif 000016
2004521210.tif 000017
2004521210.tif 000018
2004521210.tif 000019
2004521210.tif 000020
2004521210.tif 000021
2004521210.tif 000022
2004521210.tif 000023
2004521210.tif 000024
2004521210.tif 000025
2004521210.tif 000026
2004521210.tif 000027
2004521210.tif 000028
2004521210.tif 000029
2004521210.tif 000030
2004521210.tif 000031
2004521210.tif 000032
2004521210.tif 000033
2004521210.tif 000034
2004521210.tif 000035
2004521210.tif 000036
2004521210.tif 000037
2004521210.tif 000038
2004521210.tif 000039
2004521210.tif 000040
2004521210.tif 000041
2004521210.tif 000042
【国際公開パンフレット（コレクトバージョン）】
2004521210.tif 000043
2004521210.tif 000044
【手続補正書】
【提出日】平成15年11月28日(2003.11.28)
【手続補正１】
【補正対象書類名】特許請求の範囲
【補正対象項目名】全文
【補正方法】変更
【補正の内容】
【特許請求の範囲】
【請求項１】
流動可能な材料を受ける枠を形成するために、対向するフォームパネルを長手方向に沿って離間した平行な関係に一体に結合するためのコネクタであって；
対応する一方のフォームパネルの内側に長手方向に埋め込まれるように各計画された１対の細長いアンカー部材を備えていて、前記アンカー部材のそれぞれは、２つの対向する末端部と、前記末端部のそれぞれから長手方向に沿って突出したヘッド部品とを有し、このヘッド部品は、横方向に延びたターミナル面を各有していて；
対のアンカー部材を長手方向に一体に接続するための接続部材を備えていて、
各アンカー部材のヘッド部品は、互いに鏡面対称であり；
各ヘッド部品は、前記ターミナル面を画定する横断するアームと、横断するアームを前記ヘッド部品が突出するアンカー部材の末端部に接続する長手方向アームとを有するＬ字形状の断面を有していることを特徴とするコネクタ。
【請求項２】
流動可能な材料を受けるための壁枠であって：
対向する頂部壁面と底部壁面とを各有する１対のフォームパネルを備え；
長手方向に沿って離間して平行な関係にフォームパネルを一体に結合するためのコネクタを備え、前記コネクタは、対応する一方のフォームパネルの内側に長手方向に埋め込まれるように各計画された１対の細長いアンカー部材を備えていて、前記アンカー部材のそれぞれは、２つの対向する末端部と、前記末端部のそれぞれから長手方向に沿って突出したヘッド部品とを有し、このヘッド部品は、横方向に、また、対応するフォームパネルの頂部壁面と底部壁面の対応する一方の一部分に沿って延びたターミナル面を各有していて、コネクタは、対のアンカー部材を長手方向に一体に接続するための接続部材をさらに備えていて：
各ヘッド部品は、そのターミナル面が頂部壁面と底部壁面とのいずれか一方に沿って延びるのに適しているように形成されていて；
各アンカー部材のヘッド部品は、互いに鏡面対称であって；
各ヘッド部品は、前記ターミナル面を画定する横断するアームと、横断するアームを前記ヘッド部品が突出するアンカー部材の末端部に接続する長手方向アームとを有するＬ字形状部を有していることを特徴とする壁枠。
【請求項３】
各フォームパネルの各頂部壁面と底部壁面は、突起部と凹部が交互に備えられていて、ヘッド部品は前記突起部の一方内に各埋め込まれている請求項２記載の壁枠。
【請求項４】
各フォームパネル用に、頂部壁面の各突起部は底部壁面の凹部に対向していて、頂部壁の各凹部は底部壁の突起部に対向している請求項３記載の壁枠。
【請求項５】
請求項２による複数の壁枠を備えていて、前記壁枠が垂直方向に積み重ねられている壁枠アセンブリ。
【請求項６】
隣接する上方の壁枠と下方の壁枠用に、上方の壁枠のフォームパネルの底部壁面に沿って延びたターミナル面が、下方の壁枠のフォームパネルの頂部壁面に沿って延びたターミナル面に当接している請求項５記載の壁枠アセンブリ。
【請求項７】
流動化の可能な材料を受けるために端部パネルを壁枠に据え付けるための据え付け装置であって、壁枠は長手方向に沿って離間しかつ平行な関係に対向した１対のフォームパネルを備えていて、この１対のフォームパネルは整列された端部部分を有していて：
対のフォームパネルの各側部端部部分を着脱可能に係合するための第１と第２の係合部材と；
対のフォームパネルの端部部分と係合された場合に、第１と第２の係合部材の間に端部パネルを長手方向に据え付けるための据え付け手段と；
を備え；
第１と第２の係合部材は、対応するフォームパネルの側部端部部分を包むためのスリーブを各画定することを特徴とする据え付け装置。
【請求項８】
第１と第２の係合部材は、弾性的な材料で各作られている請求項７記載の据え付け装置。
【請求項９】
前記弾性的な材料は、プラスチックである請求項８記載の据え付け装置。
【請求項１０】
据え付け手段は、第１と第２の係合部材から各突出した第１と第２のパネル支持部分を備えている請求項７記載の据え付け装置。
【請求項１１】
端部パネルを第１と第２のパネル支持部分に固定するための固定手段をさらに備えた請求項１０記載の据え付け装置。
【請求項１２】
第１と第２の各パネル支持部分は、端部パネルを摺動可能に受けるためのトラックを画定する請求項１１記載の据え付け装置。
【請求項１３】
流動可能な材料を受けるための壁枠用の端部パネルアセンブリであって、壁枠は、長手方向に沿って離間していてかつ平行な関係の１対の対向するフォームパネルを備えていて、対のフォームパネルは、整列された端部部分を有していて：
請求項７による据え付け装置と；
前記据え付け装置の係合部材間に据え付け可能な端部パネルと；
を備えている端部パネルアセンブリ。
【請求項１４】
前記端部パネルは木で作られている請求項１３記載の端部パネルアセンブリ。
【請求項１５】
流動可能な材料を受けるための壁枠であって：
長手方向に沿って離間していてかつ平行な関係の１対の対向するフォームパネルを備え、対のフォームパネルは、整列された側部端部部分を有していて；
端部パネルを備え；
対のフォームパネルの各側部端部部分を着脱可能に係合する第１と第２の係合部材を備えた据え付け装置と、端部パネルを第１と第２の係合部材の間に長手方向に据え付けるための据え付け手段とを備え；
前記各フォームパネルは、その中に内面に沿って延びた細長い隆起部が備えられていて、前記内面は対向するフォームパネルに面している壁枠。
【請求項１６】
各係合部材は、対応するフォームパネルの前記隆起部と係合可能なチャンネルを備えている請求項１５記載の壁枠。
【請求項１７】
流動可能な材料を受けるための壁枠であって、前記壁枠は、長手方向に隣接するフォームパネル部によって形成されたコーナーを有していて、前記壁枠は、前記コーナーを補強するための補強コネクタを備えていて：
前記フォームパネル部の対応する長手方向の一方の内側に各埋め込まれた１対の細長いアンカー部材と；
対のアンカー部材を一体に長手方向に接続するために前記コーナーの内側と前記壁枠とに延びた接続部材とを備えていて；
前記接続部材は、対のアンカー部材に着脱可能に接続されている改良された壁枠。
【請求項１８】
各アンカー部材は：
対応するフォームパネル部の内側に長手方向に深く延びた細長いフランジ板を備え；
細長いフランジ板に長手方向に接続され、フォームパネルから出ている突出端部を有するた細長いリンク部材を備え、前記突出端部は接続部材に接続されている請求項１７に記載された改良された壁枠。
【請求項１９】
各アンカー部材の突出端部は、開口スロットの複数のチューブ状ナックルを備えていて、各チューブ状ナックルは、他方のナックルのスロットと正しく合うスロットを画定する１対の長手方向に対向した端部を有する内側のチューブを形成し；
接続部材は、前記開口チューブ状ナックルに摺動可能に挿入可能な寸法に拡大された端部部分と、拡大された端部部分を接続部材の中央部に接続するストリップ部とを各画定する１対の長手方向の側部端部を有する請求項１８に記載された改良された壁枠。
【手続補正２】
【補正対象書類名】明細書
【補正対象項目名】００１５
【補正方法】変更
【補正の内容】
【００１５】
本発明の第１の態様によれば、流動可能な材料を受ける枠を形成するために、対向するフォームパネルを長手方向に沿って離間した平行な関係に一体に結合するためのコネクタであって；
対応する一方のフォームパネルの内側に長手方向に埋め込まれるように各計画された１対の細長いアンカー部材を備えていて、前記アンカー部材のそれぞれは、２つの対向する末端部と、前記末端部のそれぞれから長手方向に沿って突出したヘッド部品とを有し、このヘッド部品は、横方向に延びたターミナル面を各有していて；
対のアンカー部材を長手方向に一体に接続するための接続部材を備えていて、
各アンカー部材のヘッド部品は、互いに鏡面対称であり；
各ヘッド部品は、前記ターミナル面を画定する横断するアームと、横断するアームを前記ヘッド部品が突出するアンカー部材の末端部に接続する長手方向アームとを有するＬ字形状の断面を有していることを特徴とするコネクタが提供される。


【手続補正３】
【補正対象書類名】明細書
【補正対象項目名】００１６
【補正方法】変更
【補正の内容】
【００１６】
本発明のこの態様はさらに、流動可能な材料を受ける壁枠であって：
対向する頂部壁面と底部壁面とを各有する１対のフォームパネルを備え；
長手方向に沿って離間して平行な関係にフォームパネルを一体に結合するためのコネクタを備え、前記コネクタは、対応する一方のフォームパネルの内側に長手方向に埋め込まれるように各計画された１対の細長いアンカー部材を備えていて、前記アンカー部材のそれぞれは、２つの対向する末端部と、前記末端部のそれぞれから長手方向に沿って突出したヘッド部品とを有し、このヘッド部品は、横方向に、また、対応するフォームパネルの頂部壁面と底部壁面の対応する一方の一部分に沿って延びたターミナル面を各有していて、コネクタは、対のアンカー部材を長手方向に一体に接続するための接続部材をさらに備えていて：
各ヘッド部品は、そのターミナル面が頂部壁面と底部壁面とのいずれか一方に沿って延びるのに適しているように形成されていて；
各アンカー部材のヘッド部品は、互いに鏡面対称であって；
各ヘッド部品は、前記ターミナル面を画定する横断するアームと、横断するアームを前記ヘッド部品が突出するアンカー部材の末端部に接続する長手方向アームとを有するＬ字形状部を有していることを特徴とする壁枠に関する。


【手続補正４】
【補正対象書類名】明細書
【補正対象項目名】００１７
【補正方法】変更
【補正の内容】
【００１７】
本発明の第２の態様によれば、流動化の可能な材料を受けるために端部パネルを壁枠に据え付けるための据え付け装置であって、壁枠は長手方向に沿って離間しかつ平行な関係に対向した１対のフォームパネルを備えていて、この１対のフォームパネルは整列された端部部分を有していて：
対のフォームパネルの各側部端部部分を着脱可能に係合するための第１と第２の係合部材と；
対のフォームパネルの端部部分と係合された場合に、第１と第２の係合部材の間に端部パネルを長手方向に据え付けるための据え付け手段と；
を備え；
第１と第２の係合部材は、対応するフォームパネルの側部端部部分を包むためのスリーブを各画定することを特徴とする据え付け装置が提供される。


【手続補正５】
【補正対象書類名】明細書
【補正対象項目名】００１８
【補正方法】変更
【補正の内容】
【００１８】
第２の態様の一部分として、本発明によってさらに、流動可能な材料を受けるための壁枠用の端部パネルアセンブリであって、壁枠は、長手方向に沿って離間していてかつ平行な関係の１対の対向するフォームパネルを備えていて、対のフォームパネルは、整列された端部部分を有した端部パネルアセンブリが提供される。端部パネルアセンブリは、上記で画定されたような据え付け装置と、前記据え付け装置の係合部材間に据え付け可能な端部パネルとを備えている。


【手続補正６】
【補正対象書類名】明細書
【補正対象項目名】００１９
【補正方法】変更
【補正の内容】
【００１９】
流動可能な材料を受けるための壁枠であって：
長手方向に沿って離間していてかつ平行な関係の１対の対向するフォームパネルを備え、対のフォームパネルは、整列された側部端部部分を有していて；
端部パネルを備え；
対のフォームパネルの各側部端部部分を着脱可能に係合する第１と第２の係合部材を備えた据え付け装置と、端部パネルを第１と第２の係合部材の間に長手方向に据え付けるための据え付け手段とを備え；
前記各フォームパネルは、その中に内面に沿って延びた細長い隆起部が備えられていて、前記内面は対向するフォームパネルに面している壁枠もまた提供される。


【手続補正７】
【補正対象書類名】明細書
【補正対象項目名】００２０
【補正方法】変更
【補正の内容】
【００２０】
最後に、本発明の第３の態様によれば、流動可能な材料を受けるための壁枠の改良が提供され、この壁枠は、長手方向に隣接するフォームパネル部によって形成されたコーナーを有している。この改良は、壁枠がコーナーを補強するための補強コネクタを備えていることを提供する。コネクタは、フォームパネル部の対応する長手方向の一方の内側に各埋め込まれた１対の細長いアンカー部材を有していて；
接続部材は、前記コーナーの内側と前記壁枠とに延びている。接続部材は、対のアンカー部材を一体に長手方向に接続し；
前記接続部材は、対のアンカー部材に着脱可能に接続されている。




【国際調査報告】
2004521210.tif 000045
2004521210.tif 000046
2004521210.tif 000047
2004521210.tif 000048
2004521210.tif 000049